(57)【要約】【課題】  １つの安価な耳装着型無線通信器を耳に付けるだけで各種のオーディオデータをリアルタイムで聴くことができる耳装着型無線通信器及び無線通信システムを提供する。【解決手段】  第２の無線ＬＡＮモジュール１と、第１の無線ＬＡＮモジュール２を有するヘッドフォン３とで無線通信システムを構成する。具体的には、第２の無線ＬＡＮモジュール１を音楽再生装置３０１等の外部機器のオーディオ端子に接続して、外部機器からのオーディオデータを送信する。すると、このオーディオデータがヘッドフォン３の第１の無線ＬＡＮモジュール２で受信され、ヘッドフォン３を付けたユーザがこのオーディオデータの音楽等をスピーカ３２で聴くことができる。なお、第１の無線ＬＡＮモジュール２はヘッドフォン３に着脱自在に取り付けることが好ましい。【選択図】図１
2006067392.tif 000002
【特許請求の範囲】
【請求項１】
ハウジングとこのハウジング内に収納されたスピーカとを具備する耳装着型無線通信器であって、
オーディオデータの高周波信号を受信するアンテナ部とこのアンテナ部で受信した高周波信号を中間周波信号に変換するＲＦ部とこのＲＦ部で変換された中間周波信号をスペクトラム逆拡散方式で復調し、当該オーディオデータが自己宛である場合に当該オーディオデータを出力するＢＢ部とこのＢＢ部からのオーディオデータをアナログ信号に変換して上記スピーカに出力するＤ／Ａ変換部とを有する第１の無線ＬＡＮモジュールを、上記ハウジングに設けた、
ことを特徴とする耳装着型無線通信器。  
【請求項２】
上記第１の無線ＬＡＮモジュールを、上記ハウジングに着脱自在に取り付けた、
ことを特徴とする請求項１に記載の耳装着型無線通信器。
【請求項３】
上記第１の無線ＬＡＮモジュールのアンテナ部及びＲＦ部は、ＩＥＥＥ８０２．１１ａ，ＩＥＥＥ８０２．１１ｂ，ＩＥＥＥ８０２．１１ｇのいずれかの規格による無線受信を行い、
上記ＢＢ部は、上記ＩＥＥＥ８０２．１１ａ又はＩＥＥＥ８０２．１１ｇのいずれかの規格による無線受信が行われた場合に、上記ＲＦ部で変換された中間周波信号をＯＦＤＭ方式で復調し、ＩＥＥＥ８０２．１１ｂの規格による無線受信が行われた場合には、上記ＲＦ部で変換された中間周波信号をＤＳＳＳ方式又はＣＣＫ方式で復調する、
ことを特徴とする請求項１又は請求項２に記載の耳装着型無線通信器。
【請求項４】
上記第１の無線ＬＡＮモジュールのアンテナ部及びＲＦ部は、ＩＥＥＥ８０２．１１ａ，ＩＥＥＥ８０２．１１ｂ及びＩＥＥＥ８０２．１１ｇの全ての規格による無線受信が可能であり、
上記ＢＢ部は、上記ＩＥＥＥ８０２．１１ａ又はＩＥＥＥ８０２．１１ｇのいずれかの規格による無線受信が行われた場合に、上記ＲＦ部で変換された中間周波信号をＯＦＤＭ方式で復調し、ＩＥＥＥ８０２．１１ｂの規格による無線受信が行われた場合には、上記ＲＦ部で変換された中間周波信号をＤＳＳＳ方式又はＣＣＫ方式で復調する、
ことを特徴とする請求項１又は請求項２に記載の耳装着型無線通信器。
【請求項５】
請求項１又は請求項２に記載の耳装着型無線通信器と、外部機器のオーディオ端子に接続可能な端子部を有した第２の無線ＬＡＮモジュールとを具備してなる無線通信システムであって、
上記第２の無線ＬＡＮモジュールは、上記端子部から入力したオーディオのアナログ信号をデジタル信号に変換するＡ／Ｄ変換部と、このＡ／Ｄ変換部からのデジタル信号に上記第１の無線ＬＡＮモジュールのＭＡＣアドレスを付加したオーディオデータをスペクトラム拡散方式で変調して出力するＢＢ部と、このＢＢ部からのオーディオデータを高周波信号に変換するＲＦ部と、このＲＦ部からの高周波信号を送信するアンテナ部とを具備する、
ことを特徴とする無線通信システム。
【請求項６】
上記第２の無線ＬＡＮモジュールに、上記Ａ／Ｄ変換部からのデジタル信号を圧縮して上記ＢＢ部に入力するオーディオ圧縮部を設けた、
ことを特徴とする請求項５に記載の無線通信システム。
【請求項７】
上記耳装着型無線通信器は、請求項３又は請求項４に記載の耳装着型無線通信器であり、
上記第２の無線ＬＡＮモジュールのアンテナ部及びＲＦ部は、ＩＥＥＥ８０２．１１ａ，ＩＥＥＥ８０２．１１ｂ及びＩＥＥＥ８０２．１１ｇのいずれか又は全ての規格による無線送信が可能であり、
上記第２の無線ＬＡＮモジュールのＢＢ部は、上記ＩＥＥＥ８０２．１１ａ又はＩＥＥＥ８０２．１１ｇのいずれかの規格による無線送信を行う場合に、上記Ａ／Ｄ変換部からのデジタル信号をＯＦＤＭ方式で変調し、ＩＥＥＥ８０２．１１ｂの規格による無線送信を行う場合には、上記Ａ／Ｄ変換部からのデジタル信号をＤＳＳＳ方式又はＣＣＫ方式で変調する、
ことを特徴とする請求項５又は請求項６に記載の無線通信システム。
【請求項８】
請求項１又は請求項２に記載の耳装着型無線通信器と、
この耳装着型無線通信器の上記第１の無線ＬＡＮモジュールに無線送信可能な無線ＬＡＮモジュールを内蔵したパーソナルコンピュータ等の外部機器と
を具備してなることを特徴とする無線通信システム。
【発明の詳細な説明】
【技術分野】
【０００１】
この発明は、無線で送信された音楽等のオーディオデータを受信して再生可能な耳装着型無線通信器及び無線通信システムに関するものである。
【背景技術】
【０００２】
従来この種の耳装着型無線通信器としては、例えば、特許文献１に開示されたヘッドフォンがある。
図７は、この従来例の技術を示す概略図である。
図７に示すように、この技術は、ユーザの耳に装着して音楽を聴取可能なヘッドフォン１００に着脱可能にメモリカード１１０を取り付け、ヘッドフォン１００に内蔵された音楽データ復号器により、当該メモリカード１１０に記憶されている音楽データに基づいて音楽を再生するものである。そして、遠隔制御信号をリスト型リモコン２００からこのヘッドフォン１００に内蔵された図示しない無線送受信部に送信することにより、音楽再生を遠隔制御するようになっている。
【０００３】
【特許文献１】特開平２００１−１９６５０２号公報
【発明の開示】
【発明が解決しようとする課題】
【０００４】
しかし、従来の技術では、遠隔制御信号をリスト型リモコン２００からヘッドフォン１００の無線送受信部に送信することで、音楽再生する構成になっているので、ヘッドフォン１００の他にリスト型リモコン２００が必要不可欠である。すなわち、ヘッドフォン１００とリスト型リモコン２００とをセットで製造しなければならないため、その分製品コストが高くついてしまう。
また、多数曲の音楽を聴くには、音楽データが記録されたメモリカード１１０を多数用意しておかなければならず、非常に不便である。しかも、ラジオやテレビジョン受信機の音情報をリアルタイムで聴くことができず、聴くことができる情報は、記録された音楽だけに限定されてしまう。
【０００５】
この発明は、上述した課題を解決するためになされたもので、１つの安価な耳装着型無線通信器を耳に付けるだけで各種のオーディオデータをリアルタイムで聴くことができる耳装着型無線通信器及び無線通信システムを提供することを目的とする。
【課題を解決するための手段】
【０００６】
上記課題を解決するために、請求項１記載の発明は、ハウジングとこのハウジング内に収納されたスピーカとを具備する耳装着型無線通信器であって、オーディオデータの高周波信号を受信するアンテナ部とこのアンテナ部で受信した高周波信号を中間周波信号に変換するＲＦ部とこのＲＦ部で変換された中間周波信号をスペクトラム逆拡散方式で復調し、オーディオデータが自己宛である場合にオーディオデータを出力するＢＢ部とこのＢＢ部からのオーディオデータをアナログ信号に変換してスピーカに出力するＤ／Ａ変換部とを有する第１の無線ＬＡＮモジュールを、ハウジングに設けた構成とする。
かかる構成により、ユーザがハウジングを耳に付けると、オーディオデータの高周波信号が、ハウジングに設けられた第１の無線ＬＡＮモジュールのアンテナ部によって受信される。すると、受信された高周波信号がＲＦ部で中間周波信号に変換され、この中間周波信号がＢＢ部によってスペクトラム逆拡散方式で復調される。そして、このオーディオデータが自己宛である場合には、オーディオデータがＢＢ部から出力される。しかる後、ＢＢ部からのオーディオデータがＤ／Ａ変換部においてアナログ信号に変換されて、スピーカに出力される。これにより、ユーザはハウジング内に収納されたスピーカからオーディオを聴くことができる。
【０００７】
請求項２の発明は、請求項１に記載の耳装着型無線通信器において、第１の無線ＬＡＮモジュールを、ハウジングに着脱自在に取り付けた構成とする。
かかる構成により、第１の無線ＬＡＮモジュールを、状況に応じて別の第１の無線ＬＡＮモジュールと取り替えることができる。
【０００８】
請求項３の発明は、請求項１又は請求項２に記載の耳装着型無線通信器において、第１の無線ＬＡＮモジュールのアンテナ部及びＲＦ部は、ＩＥＥＥ８０２．１１ａ，ＩＥＥＥ８０２．１１ｂ，ＩＥＥＥ８０２．１１ｇのいずれかの規格による無線受信を行い、ＢＢ部は、ＩＥＥＥ８０２．１１ａ又はＩＥＥＥ８０２．１１ｇのいずれかの規格による無線受信が行われた場合に、ＲＦ部で変換された中間周波信号をＯＦＤＭ方式で復調し、ＩＥＥＥ８０２．１１ｂの規格による無線受信が行われた場合には、ＲＦ部で変換された中間周波信号をＤＳＳＳ方式又はＣＣＫ方式で復調する構成とした。
かかる構成により、第１の無線ＬＡＮモジュールのアンテナ部及びＲＦ部によって、ＩＥＥＥ８０２．１１ａ又はＩＥＥＥ８０２．１１ｇのいずれかの規格による無線受信が行われると、ＢＢ部において、ＲＦ部で変換された中間周波信号がＯＦＤＭ方式で復調される。また、アンテナ部及びＲＦ部によって、ＩＥＥＥ８０２．１１ｂの規格による無線受信が行われると、ＢＢ部において、ＲＦ部で変換された中間周波信号がＤＳＳＳ方式又はＣＣＫ方式で復調される。
【０００９】
請求項４の発明は、請求項１又は請求項２に記載の耳装着型無線通信器において、第１の無線ＬＡＮモジュールのアンテナ部及びＲＦ部は、ＩＥＥＥ８０２．１１ａ，ＩＥＥＥ８０２．１１ｂ及びＩＥＥＥ８０２．１１ｇの全ての規格による無線受信が可能であり、ＢＢ部は、ＩＥＥＥ８０２．１１ａ又はＩＥＥＥ８０２．１１ｇのいずれかの規格による無線受信が行われた場合に、ＲＦ部で変換された中間周波信号をＯＦＤＭ方式で復調し、ＩＥＥＥ８０２．１１ｂの規格による無線受信が行われた場合には、ＲＦ部で変換された中間周波信号をＤＳＳＳ方式又はＣＣＫ方式で復調する構成とした。
かかる構成により、第１の無線ＬＡＮモジュールのアンテナ部及びＲＦ部によって、ＩＥＥＥ８０２．１１ａ，ＩＥＥＥ８０２．１１ｂ及びＩＥＥＥ８０２．１１ｇの全ての規格による無線受信が可能なデュアルバンド対応の通信が可能となる。そして、ＢＢ部によって、ＩＥＥＥ８０２．１１ａ又はＩＥＥＥ８０２．１１ｇのいずれかの規格による無線受信が行われると、ＢＢ部において、各規格に対応した方式で復調される。
【００１０】
請求項５の発明に係る無線通信システムは、請求項１又は請求項２に記載の耳装着型無線通信器と、外部機器のオーディオ端子に接続可能な端子部を有した第２の無線ＬＡＮモジュールとを具備してなる無線通信システムであって、第２の無線ＬＡＮモジュールは、端子部から入力したオーディオのアナログ信号をデジタル信号に変換するＡ／Ｄ変換部と、このＡ／Ｄ変換部からのデジタル信号に第１の無線ＬＡＮモジュールのＭＡＣアドレスを付加したオーディオデータをスペクトラム拡散方式で変調して出力するＢＢ部と、このＢＢ部からのオーディオデータを高周波信号に変換するＲＦ部と、このＲＦ部からの高周波信号を送信するアンテナ部とを具備する構成とした。
かかる構成により、第２の無線ＬＡＮモジュールの端子部を外部機器のオーディオ端子に接続すると、端子部から入力したオーディオのアナログ信号がＡ／Ｄ変換部においてデジタル信号に変換される。すると、ＢＢ部において、第１の無線ＬＡＮモジュールのＭＡＣアドレスが付加されたオーディオデータがスペクトラム拡散方式で変調されて出力される。そして、このオーディオデータがＲＦ部において高周波信号に変換された後、この高周波信号がアンテナ部から請求項１又は請求項２に記載の耳装着型無線通信器に送信される。
【００１１】
請求項６の発明は、請求項５に記載の無線通信システムにおいて、第２の無線ＬＡＮモジュールに、Ａ／Ｄ変換部からのデジタル信号を圧縮してＢＢ部に入力するオーディオ圧縮部を設けた構成とする。
かかる構成により、Ａ／Ｄ変換部からのデジタル信号がオーディオ圧縮部において圧縮され、圧縮された高周波信号が第２の無線ＬＡＮモジュールのアンテナ部から耳装着型無線通信器に向けて送信される。
【００１２】
請求項７の発明は、請求項５又は請求項６に記載の無線通信システムにおいて、耳装着型無線通信器は、請求項３又は請求項４に記載の耳装着型無線通信器であり、第２の無線ＬＡＮモジュールのアンテナ部及びＲＦ部は、ＩＥＥＥ８０２．１１ａ，ＩＥＥＥ８０２．１１ｂ及びＩＥＥＥ８０２．１１ｇのいずれか又は全ての規格による無線送信が可能であり、第２の無線ＬＡＮモジュールのＢＢ部は、ＩＥＥＥ８０２．１１ａ又はＩＥＥＥ８０２．１１ｇのいずれかの規格による無線送信を行う場合に、Ａ／Ｄ変換部からのデジタル信号をＯＦＤＭ方式で変調し、ＩＥＥＥ８０２．１１ｂの規格による無線送信を行う場合には、Ａ／Ｄ変換部からのデジタル信号をＤＳＳＳ方式又はＣＣＫ方式で変調する構成とした。
【００１３】
請求項８の発明に係る無線通信システムは、請求項１又は請求項２に記載の耳装着型無線通信器と、この耳装着型無線通信器の第１の無線ＬＡＮモジュールに無線送信可能な無線ＬＡＮモジュールを内蔵したパーソナルコンピュータ等の外部機器とを具備してなる構成とした。
【発明の効果】
【００１４】
以上詳しく説明したように、請求項１ないし請求項４の発明に係る耳装着型無線通信器によれば、ユーザがハウジングを耳に付けることで、ハウジング内に収納されたスピーカからオーディオを聴くことができる構成であるので、耳装着型無線通信器に対する制御用のリモコンを特別に必要とせず、その分製品コストの低減化を図ることができる。また、オーディオデータ記録用のメモリカード等のストレージを必要としないので、非常に便利である。
特に、請求項２及び請求項３の発明に係る耳装着型無線通信器によれば、ＩＥＥＥ８０２．１１ｂの規格の第１の無線ＬＡＮモジュールを用いて２．４ＧＨｚで１１Ｍｂｐｓの無線受信を行い、また、第１の無線ＬＡＮモジュールを取り替え、ＩＥＥＥ８０２．１１ａの規格の第１の無線ＬＡＮモジュールを用いて５．２ＧＨｚで５４Ｍｂｐｓの無線受信を行うことができるので、非常に便利である。これにより、一方の規格では無線通信が困難な場所でも、他方の規格の第１の無線ＬＡＮモジュールに取り替えるだけで、容易に無線通信ができるようになる。
また、請求項４の発明に係る耳装着型無線通信器によれば、１つの第１の無線ＬＡＮモジュールで各種周波数帯を利用したデュアルバンドの無線受信が可能となる。
【００１５】
請求項５ないし請求項７の発明に係る無線通信システムによれば、第２の無線ＬＡＮモジュールの端子部を外部機器のオーディオ端子に接続することで、オーディオデータを耳装着型無線通信器に送信することができるので、テレビジョン受信機，音楽再生装置及びパーソナルコンピュータ等の汎用オーディオ端子に第２の無線ＬＡＮモジュールの端子部を接続すれば、音楽等の各種のオーディオデータを耳装着型無線通信器で聴くことができる。また、オーディオの再生等の制御は外部機器側で行うことができるので、耳装着型無線通信器側に制御装置やメモリカード等のストレージを設ける必要がない。
【００１６】
また、請求項８の発明に係る無線通信システムによれば、無線ＬＡＮモジュールを内蔵したパーソナルコンピュータ等の外部機器と耳装着型無線通信器との送信が可能な構成としたので、第２の無線ＬＡＮモジュールを用いることなく、外部機器からの音楽等を耳装着型無線通信器で聴くことができる。
【発明を実施するための最良の形態】
【００１７】
以下、この発明の最良の形態について図面を参照して説明する。
【実施例１】
【００１８】
図１は、この発明の第１実施例に係る無線通信システムの構成を示す概略図であり、図２は、第２の無線ＬＡＮモジュールのブロック図であり、図３は、第１の無線ＬＡＮモジュールの取り付け状態を示すヘッドフォンの断面図であり、図４は、第１の無線ＬＡＮモジュールのブロック図である。
図１に示すように、この無線通信システムは、第２の無線ＬＡＮモジュール１と、第１の無線ＬＡＮモジュール２を有する耳装着型無線通信器としてのヘッドフォン３とで構成されている。
【００１９】
第２の無線ＬＡＮモジュール１は、テレビジョン受信機３００や音楽再生装置３０１やパーソナルコンピュータ３０２等の外部機器のオーディオ端子（図示せず）に接続して使用する機器であり、端子部としてのプラグ１１を突出させている。すなわち、この第２の無線ＬＡＮモジュール１は、プラグ１１をテレビジョン受信機３００等の汎用のオーディオ端子であるジャックに挿入することで使用することができるようになっている。
具体的には、図２に示すように、第２の無線ＬＡＮモジュール１は、筐体１０の外側にプラグ１１を突出させると共に、アンテナ部１７を露出させ、筐体１０の内部に、Ａ／Ｄ変換部１２（アナログ／デジタル変換部）１２とオーディオ圧縮部１３とインターフェース変換部１４とＢＢ部（ベースバンド部）１５とＲＦ部（高周波部）１６とを備えている。
【００２０】
Ａ／Ｄ変換部１２は、プラグ１１から入力したオーディオのアナログ信号Ａ１をデジタル信号Ｄ１に変換する部分であり、アナログ信号Ａ１の標本化，量子化及び符号化を行う機能を有する。
【００２１】
オーディオ圧縮部１３は、オーディオ圧縮部１３からのデジタル信号Ｄ１を圧縮して、その圧縮したデジタル信号Ｄ１′をＢＢ部１５に出力する部分である。この実施例では、圧縮方式として、ＭＰ３（MPEG-1 Audio Layer3）を採用している。
【００２２】
ＢＢ部１５は、オーディオ圧縮部１３からのデジタル信号Ｄ１′に基づいて、オーディオデータＡＤを生成し、このオーディオデータＡＤを変調してＲＦ部１６に出力する部分である。具体的には、第１の無線ＬＡＮモジュール２のＭＡＣアドレスをデジタル信号Ｄ１′に付加したフレームをオーディオデータＡＤとする。そして、このオーディオデータＡＤをスペクトラム拡散方式で変調する。例えば、この実施例では、ＩＥＥＥ８０２．１１ｂの規格による無線送信を行うため、オーディオデータＡＤをＤＳＳＳ方式（直接拡散方式）又はＣＣＫ方式（相補符号変調方式）で変調するようになっている。勿論、ＩＥＥＥ８０２．１１ａ（又はＩＥＥＥ８０２．１１ｇ）のいずれかの規格による無線送信を行うようにして、オーディオデータＡＤをＯＦＤＭ方式（直交周波数分割多重方式）で変調するようにすることもできる。
【００２３】
ＲＦ部１６は、ＢＢ部１５で変調されたオーディオデータＡＤを高周波信号ＡＤ′に変換する部分であり、この実施例では、ＩＥＥＥ８０２．１１ｂの規格を採用するため、２．４ＧＨｚの高周波信号ＡＤ′にアップコンバートする。勿論、ＩＥＥＥ８０２．１１ａ（又はＩＥＥＥ８０２．１１ｇ）のいずれかの規格による無線送信を行うようにした場合には、５．２ＧＨｚ（又は２．４ＧＨｚ）の高周波信号ＡＤ′にアップコンバートする。
【００２４】
アンテナ部１７は、高周波信号ＡＤ′の周波数で共振して、高周波信号ＡＤ′を電波放射する部分であり、この実施例では、誘電体基体に放射電極を形成した表面実装型のアンテナを採用している。
【００２５】
一方、ヘッドフォン３は、図１に示すように、逆Ｕ字状のアーム３０と、アーム３０の両端部に連結された１対のハウジング３１，３１と、これらのハウジング３１，３１内にそれぞれ収納されたスピーカ３２，３２とを有し、一方のハウジング３１に第１の無線ＬＡＮモジュール２を着脱自在に取り付けることができるようになっている。
すなわち、図３に示すように、挿入口３３が一方のハウジング３１の上面に設けられ、アンプ３４を介してスピーカ３２と電気的に接続されたコネクタ３５がハウジング３１の内部に設けられている。これにより、後述するアンテナ部２１を上側にして、第１の無線ＬＡＮモジュール２を挿入口３３から挿入し、後述するＤ／Ａ変換部（デジタル／アナログ変換部）２５の出力端子をコネクタ３５に接続することができる。この結果、第１の無線ＬＡＮモジュール２が、アンテナ部２１をハウジング３１の外部に露出させた状態で、スピーカ３２と電気的に接続する。
【００２６】
このような第１の無線ＬＡＮモジュール２は、図４に示すように、アンテナ部２１とＲＦ部２２とＢＢ部２３とインターフェース変換部２４とＤ／Ａ変換部２５とを備えている。
【００２７】
アンテナ部２１は、第２の無線ＬＡＮモジュール１からの高周波信号ＡＤ′を受信するための部分であり、この実施例では、第２の無線ＬＡＮモジュール１からＩＥＥＥ８０２．１１ｂの規格の２．４ＧＨｚの高周波信号ＡＤ′が送信されるため、共振周波数が２．４ＧＨｚの表面実装型アンテナを採用している。勿論、ＩＥＥＥ８０２．１１ａ（又はＩＥＥＥ８０２．１１ｇ）のいずれかの規格による５．２ＧＨｚ（又は２．４ＧＨｚ）の高周波信号ＡＤ′が第２の無線ＬＡＮモジュール１から送信される場合には、共振周波数が５．２ＧＨｚの表面実装型アンテナを採用する。
【００２８】
ＲＦ部２２は、アンテナ部２１で受信した高周波信号ＡＤ′を中間周波信号に変換する部分であり、この実施例では、ＩＥＥＥ８０２．１１ｂの規格を採用するため、２．４ＧＨｚの高周波信号ＡＤ′を中間周波数のオーディオデータＡＤにダウンコンバートする。勿論、ＩＥＥＥ８０２．１１ａ（又はＩＥＥＥ８０２．１１ｇ）のいずれかの規格による場合には、５．２ＧＨｚ（又は２．４ＧＨｚ）の高周波信号ＡＤ′を中間周波数のオーディオデータＡＤにダウンコンバートする。
【００２９】
ＢＢ部２３は、ＲＦ部２２で中間周波信号に変換されたオーディオデータＡＤを復調して、Ｄ／Ａ変換部２５に出力する部分である。具体的には、オーディオデータＡＤをスペクトラム逆拡散方式でデジタル信号Ｄ１′に復調し、オーディオデータＡＤに付加されているＭＡＣアドレスが第１の無線ＬＡＮモジュール２のＭＡＣアドレスである場合には、デジタル信号Ｄ１′をＤ／Ａ変換部２５に出力する機能を有している。この実施例では、ＩＥＥＥ８０２．１１ｂの規格による無線送信を行うため、オーディオデータＡＤをＤＳＳＳ方式又はＣＣＫ方式で復調するようになっている。勿論、ＩＥＥＥ８０２．１１ａ（又はＩＥＥＥ８０２．１１ｇ）のいずれかの規格による無線送信の場合には、オーディオデータＡＤをＯＦＤＭ方式で復調する。
【００３０】
Ｄ／Ａ変換部２５は、ＢＢ部２３からインターフェース変換部２４を介して入力したデジタル信号Ｄ１′をアナログ信号Ａ１に変換して出力端子に出力する部分であり、デジタル信号Ｄ１′の復号化，逆量子化，補間を行う機能を有する。
【００３１】
次に、この実施例の無線通信システムの作用及び効果について説明する。
まず、図１に示す第１及び第２の無線ＬＡＮモジュール１，２をパーソナルコンピュータ３０２にＵＳＢ接続する等して、ＴＣＰ／ＩＰ等のネットワーク設定やＷＥＰ等のセキュリティ設定をした後、第２の無線ＬＡＮモジュール１のプラグ１１をテレビジョン受信機３００等の外部機器のオーディオ端子に接続する。そして、外部機器において楽曲の選択，再生及び音量等の制御を行うと、図２に示したように、外部機器のオーディオ端子から出力された音楽等のアナログ信号Ａ１がプラグ１１を通じてＡ／Ｄ変換部１２に入力し、デジタル信号Ｄ１がＡ／Ｄ変換部１２からオーディオ圧縮部１３に出力される。すると、圧縮されたデジタル信号Ｄ１′がインターフェース変換部１４を介してＢＢ部１５に出力され、オーディオ圧縮部１３からのデジタル信号Ｄ１′に基づいて、第１の無線ＬＡＮモジュール２のＭＡＣアドレスが付加されたオーディオデータＡＤを生成され変調されて、ＲＦ部１６に出力される。そして、オーディオデータＡＤがＲＦ部１６で高周波信号ＡＤ′に変換され、アンテナ部１７から送信される。
【００３２】
一方、ヘッドフォン３を使用するユーザは、図２に示したように、第１の無線ＬＡＮモジュール２をハウジング３１に挿入した状態で、アーム３０を頭に架け、１対のハウジング３１，３１を耳にあてることができる。
すると、第２の無線ＬＡＮモジュール１からの高周波信号ＡＤ′が図４に示す第１の無線ＬＡＮモジュール２のアンテナ部２１で受信され、ＲＦ部２２において、中間周波数のオーディオデータＡＤに変換された後、ＢＢ部２３に出力される。そして、このオーディオデータＡＤがＢＢ部２３において復調され、ＭＡＣアドレスが当該第１の無線ＬＡＮモジュール２のＭＡＣアドレスである場合に、デジタル信号Ｄ１′がＤ／Ａ変換部２５に出力される。そして、入力したデジタル信号Ｄ１′がＤ／Ａ変換部２５でアナログ信号Ａ１に変換され、出力端子を出力される。すると、アナログ信号Ａ１が図３に示すコネクタ３５及びアンプ３４を介してスピーカ３２に送られ、ユーザは、アナログ信号Ａ１が示す音楽等を聴くことができる。
【００３３】
以上のように、この実施例の無線通信システムによれば、テレビジョン受信機３００，音楽再生装置３０１及びパーソナルコンピュータ３０２等の汎用オーディオ端子に第２の無線ＬＡＮモジュール１のプラグ１１を接続すれば、音楽等、各種のオーディオデータをヘッドフォン３で聴くことができるので、汎用性に優れた無線通信システムを提供することができる。また、無線ＬＡＮによる通信であるので、遠距離間での通信が可能であり、例えば、ユーザが外部機器がある部屋と異なる部屋で音楽等を聴くことができる。しかも、オーディオの再生等の制御は外部機器側で行うので、ヘッドフォン３側に制御装置やメモリカード等のストレージを設ける必要がない。
また、複数のユーザがそれぞれヘッドフォン３を付け、第２の無線ＬＡＮモジュール１側において、各ヘッドフォン３の第１の無線ＬＡＮモジュール２のＭＡＣアドレスをオーディオデータＡＤに付加することで、複数のユーザが同時に同じ音楽を聴くことができる。
【実施例２】
【００３４】
次に、この発明の第２実施例について説明する。
図５は、この発明の第２実施例に係る無線通信システムの要部である第２の無線ＬＡＮモジュールを示すブロック図である。
この実施例では、第２の無線ＬＡＮモジュールをデュアルバンド方式の通信が可能な構造とした点が、上記第１実施例と異なる。
【００３５】
具体的には、第２の無線ＬＡＮモジュール１は、ＩＥＥＥ８０２．１１ｂの規格の通信を行うＡ／Ｄ変換部１２，オーディオ圧縮部１３，インターフェース変換部１４，ＢＢ部１５，ＲＦ部１６及びアンテナ部１７とでなる通信部１−１と、ＩＥＥＥ８０２．１１ａの規格の通信を行うＡ／Ｄ変換部１２′，オーディオ圧縮部１３′，インターフェース変換部１４′，ＢＢ部１５′，ＲＦ部１６′及びアンテナ部１７′とでなる通信部１−２とを備えている。
これにより、通信部１−１によって、プラグ１１から入力したアナログ信号Ａ１を周波数２．４ＧＨｚ且つ通信速度１１Ｍｂｐｓの高周波信号ＡＤ′として送信することができると共に、通信部１−２によって、アナログ信号Ａ１を周波数５．２ＧＨｚ且つ通信速度５４Ｍｂｐｓの高周波信号ＡＤ′として送信することができる。
この結果、ユーザは、通常はＩＥＥＥ８０２．１１ｂの規格の第１の無線ＬＡＮモジュール２をヘッドフォン３に挿入して第２の無線ＬＡＮモジュール１からの音楽等を聴くことができ、このＩＥＥＥ８０２．１１ｂの規格の第１の無線ＬＡＮモジュール２では通信が困難な場所に移動した場合には、ＩＥＥＥ８０２．１１ａの規格の第１の無線ＬＡＮモジュール２に差し替えることにより、音楽等を聴くことができるようになる。
その他の構成，作用及び効果は上記第１実施例と同様であるので、その記載は省略する。
【実施例３】
【００３６】
次に、この発明の第３実施例について説明する。
図６は、この発明の第３実施例に係る無線通信システムの要部である第１の無線ＬＡＮモジュールを示すブロック図である。
この実施例では、第２の無線ＬＡＮモジュール１だけでなく、第１の無線ＬＡＮモジュールもデュアルバンド方式の通信が可能な構造とした点が、上記第２実施例と異なる。
【００３７】
具体的には、第１の無線ＬＡＮモジュール２は、ＩＥＥＥ８０２．１１ｂの規格の通信を行うアンテナ部２１，ＲＦ部２２，ＢＢ部２３，インターフェース変換部２４及びＤ／Ａ変換部２５とでなる通信部２−１と、ＩＥＥＥ８０２．１１ａの規格の通信を行うアンテナ部２１′，ＲＦ部２２′，ＢＢ部２３′，インターフェース変換部２４′及びＤ／Ａ変換部２５′とでなる通信部２−２とを備え、スイッチ２６によって通信部２−１，２−２のいずれかの使用状態に切り替えることができるようになっている。具体的には、スイッチ２６の操作によって、通信部２−１のアンテナ部２１とＲＦ部２２との接続状態にすると、通信部２−２のアンテナ部２１′とＲＦ部２２′とを断状態にすることができ、逆に、アンテナ部２１とＲＦ部２２との断状態にすると、アンテナ部２１′とＲＦ部２２′とを接続状態にすることができる。
これにより、ユーザは、スイッチ２６を操作してアンテナ部２１とＲＦ部２２とを接続状態にすることにより、通常はＩＥＥＥ８０２．１１ｂの規格の通信部２−１を使用して音楽等を聴くことができる。そして、このＩＥＥＥ８０２．１１ｂの規格の通信部２−１では通信が困難な場所に移動した場合には、スイッチ２６を切り替えて、アンテナ部２１′とＲＦ部２２′とを接続状態にすることにより、ＩＥＥＥ８０２．１１ａの規格の通信部２−２を使用して音楽等を聴くことができる。したがって、規格の異なる第１の無線ＬＡＮモジュール２を差し替えることなく、異なる周波数の無線通信を行うことができる。
その他の構成、作用及び効果は、上記第２実施例と同様であるので、その記載は省略する。
【実施例４】
【００３８】
次に、この発明の第３実施例について説明する。
この実施例では、上記第２の無線ＬＡＮモジュール１を用いず、上記第１ないし第３実施例の第１の無線ＬＡＮモジュール２を有するヘッドフォン３を用いて、音楽等を聴くことができるようにした点が、上記実施例の無線通信システムと異なる。
すなわち、無線ＬＡＮカードを装着した複数のパーソナルコンピュータとアクセスポイント等で構成される通常の無線ＬＡＮシステムに、第１の無線ＬＡＮモジュール２のＭＡＣアドレス等を登録して、第１の無線ＬＡＮモジュール２を当該無線ＬＡＮシステムの一員とする。
これにより、ユーザは、第２の無線ＬＡＮモジュール１を用いることなく、パーソナルコンピュータからのオーディオデータを第１の無線ＬＡＮモジュール２で受信して、ヘッドフォン３で聴くことができる。
その他の構成、作用及び効果は、上記第１ないし第３実施例と同様であるので、その記載は省略する。
【００３９】
なお、この発明は、上記実施例に限定されるものではなく、発明の要旨の範囲内において種々の変形や変更が可能である。
例えば、上記実施例では、第１の無線ＬＡＮモジュール２をヘッドフォン３に着脱自在に取り付ける構成としたが、第１の無線ＬＡＮモジュール２をヘッドフォン３に内蔵させたものを発明に範囲から除外する意ではない。また、第２の無線ＬＡＮモジュール１にオーディオ圧縮部１３を設けたが、オーディオ圧縮部１３を有しない第２の無線ＬＡＮモジュールで構成される無線通信システムを発明の範囲から除く意ではない。
また、上記実施例では、耳装着型無線通信器として、ヘッドフォン３を例にして説明したが、耳装着型無線通信器としてイヤフォンを採用しても良いことは勿論である。
【図面の簡単な説明】
【００４０】
【図１】この発明の第１実施例に係る無線通信システムの構成を示す概略図である。
【図２】第２の無線ＬＡＮモジュールのブロック図である。
【図３】第１の無線ＬＡＮモジュールの取り付け状態を示すヘッドフォンの断面図である。
【図４】第１の無線ＬＡＮモジュールのブロック図である。
【図５】この発明の第２実施例に係る無線通信システムの要部である第２の無線ＬＡＮモジュールを示すブロック図である。
【図６】この発明の第３実施例に係る無線通信システムの要部である第１の無線ＬＡＮモジュールを示すブロック図である。
【図７】この従来例の技術を示す概略図である。
【符号の説明】
【００４１】
１…第２の無線ＬＡＮモジュール、  １−１，１−２，２−１，２−２…通信部、  ２…第１の無線ＬＡＮモジュール、  ３…ヘッドフォン、  １０…筐体、  １１…プラグ、  １２…Ａ／Ｄ変換部１、  １３…オーディオ圧縮部、  １４，２４…インターフェース変換部、  １５，２３…ＢＢ部、  １６，２２…ＲＦ部、  １７，２１…アンテナ部、  ２４…インターフェース変換部、  ２５…Ｄ／Ａ変換部、  ２６…スイッチ、  ３０…アーム、  ３１…ハウジング、  ３２…スピーカ、  ３３…挿入口、  ３４…アンプ、  ３５…コネクタ。  
【図１】
2006067392.tif 000003
【図２】
2006067392.tif 000004
【図３】
2006067392.tif 000005
【図４】
2006067392.tif 000006
【図５】
2006067392.tif 000007
【図６】
2006067392.tif 000008
【図７】
2006067392.tif 000009